(57)【要約】【課題】多数の予備品の船舶への搭載を精度よく行うことができ、更に、航行中の船舶内における予備品の利用の効率化を図ることが可能な船舶の予備品管理システムを提供する。【解決手段】船舶の予備品管理システム（予備品管理装置１）は、船舶に搭載すべき予備品別に付されたタグから予備品識別情報を読み取って、当該予備品が収納されるべき容器を指定する容器指定部１００と、容器別に付されたタグから容器識別情報を読み取って、船舶において当該容器が配置されるべき格納エリアを指定する格納エリア指定部１０１と、予備品識別情報又は容器識別情報の指定を受け付けて、当該予備品識別情報又は当該容器識別情報に対応する予備品が、船舶において保管されている格納エリアを提示する格納エリア提示部１０２と、を備えている。【選択図】図２
2017024823.tif 000002
【特許請求の範囲】
【請求項１】
船舶に搭載すべき予備品別に付されたタグから予備品識別情報を読み取って、当該予備品が収納されるべき容器を指定する容器指定部と、
前記容器別に付されたタグから容器識別情報を読み取って、前記船舶において当該容器が配置されるべき格納エリアを指定する格納エリア指定部と、
前記予備品識別情報又は前記容器識別情報の指定を受け付けて、当該予備品識別情報又は当該容器識別情報に対応する前記予備品が、前記船舶において保管されている格納エリアを提示する格納エリア提示部と、
を備える船舶の予備品管理システム。
【請求項２】
前記格納エリア内から、指定された前記予備品識別情報又は前記容器識別情報に対応する前記タグを探索し、当該格納エリア内において当該タグが配される位置を特定して提示する詳細位置提示部を更に備える
請求項１に記載の船舶の予備品管理システム。
【請求項３】
前記詳細位置提示部は、
指定された前記予備品識別情報又は前記容器識別情報に対応する前記タグの位置を、前記格納エリア内が撮影された画像情報に対する画像認識処理に基づいて探索する
請求項２に記載の船舶の予備品管理システム。
【請求項４】
前記詳細位置提示部は、
指定された前記予備品識別情報又は前記容器識別情報に対応する前記タグの位置を、当該タグとの無線通信処理を通じて探索する
請求項２又は請求項３に記載の船舶の予備品管理システム。
【請求項５】
前記船舶において前記格納エリア別に付されたタグから格納エリア識別情報を読み取るとともに、当該格納エリアに配置された前記容器に付された前記タグから前記容器識別情報を読み取って、読み取った前記格納エリア識別情報と前記容器識別情報とを対応付けて登録する格納エリア登録処理部を更に備える
請求項１から請求項４の何れか一項に記載の船舶の予備品管理システム。
【請求項６】
前記船舶内で使用しようとする前記予備品に付された前記タグを読み取って、前記船舶における前記予備品の搭載数を更新する搭載数更新部を更に備える
請求項１から請求項５の何れか一項に記載の船舶の予備品管理システム。
【請求項７】
船舶の予備品管理システムのコンピュータを、
船舶に搭載すべき予備品別に付されたタグから予備品識別情報を読み取って、当該予備品が収納されるべき容器を指定する容器指定手段、
前記容器別に付されたタグから容器識別情報を読み取って、前記船舶において当該容器が配置されるべき格納エリアを指定する格納エリア指定手段、
前記予備品識別情報又は前記容器識別情報の指定を受け付けて、当該予備品識別情報に示される前記予備品又は当該容器識別情報に示される前記容器が、前記船舶において保管されている格納エリアを提示する格納位置提示手段、
として機能させるプログラム。
【請求項８】
船舶に搭載すべき予備品が収納された容器を配置可能な収納用部材が、前記船舶の機関室区画内における構造体と一体に形成されてなる予備品収納構造であって、
前記収納用部材又は前記構造体の少なくともいずれか一方に、前記機関室区画内における場所を識別するための情報を有するタグが付されている
船舶の予備品収納構造。
【発明の詳細な説明】
【技術分野】
【０００１】
本発明は、船舶の予備品管理システム、プログラム及び船舶の予備品収納構造に関する。
【背景技術】
【０００２】
所定の期間に渡って航行を行う船舶は、航行中に生じる装置・機器の故障や消耗に対応する必要があるため、当該船舶が搭載する装置・機器に応じて予め規定された種類及び数量の予備品の搭載が義務付けられる場合がある。しかしながら、船舶においてはその搭載可能量が限られていることから、搭載すべき予備品の種類及び数量は、当該船舶の航行期間に対応できる限度で、その搭載数量が最小限となるように最適化される。また、このような予備品は数千種類にも及ぶ場合があるため、船舶の各所において、それぞれ、予め決められた収納位置に保管される。
【０００３】
なお、特許文献１には、船舶の航行中に使用する予備品の在庫管理を効率的に行うことができ、かつ、船舶内の多くの収納場所に保管された多くの予備品について１か所での集中管理が可能な予備品管理手法が開示されている。
【先行技術文献】
【特許文献】
【０００４】
【特許文献１】特開平６−１４３８７１号公報
【発明の概要】
【発明が解決しようとする課題】
【０００５】
しかしながら、予備品管理台帳や管理カード等を用いて予備品の管理を行うためには、管理対象となる数千種類にも及ぶ予備品の各々が、船舶内の予め想定された格納エリアに正しく保管されていることが前提となる。特に、船舶建造者は、船舶発注者（客先）から、船舶の建造中の段階で予め必要な予備品を全て正しい場所に正しい数量で搭載させた上で納入すべきことを要求される場合もある。
【０００６】
本発明の目的は、上記課題に鑑みてなされたものであって、多数の予備品の船舶への搭載を精度よく行うことができ、更に、航行中の船舶内における予備品の利用の効率化を図ることが可能な船舶の予備品管理システム、プログラム及び船舶の予備品収納構造を提供する。
【課題を解決するための手段】
【０００７】
また、本発明の一態様は、船舶に搭載すべき予備品別に付されたタグから予備品識別情報を読み取って、当該予備品が収納されるべき容器を指定する容器指定部と、前記容器別に付されたタグから容器識別情報を読み取って、前記船舶において当該容器が配置されるべき格納エリアを指定する格納エリア指定部と、前記予備品識別情報又は前記容器識別情報の指定を受け付けて、当該予備品識別情報又は当該容器識別情報に対応する前記予備品が、前記船舶において保管されている格納エリアを提示する格納エリア提示部と、を備える船舶の予備品管理システムである。
【０００８】
また、本発明の一態様によれば、上述の船舶の予備品管理システムは、前記格納エリア内から、指定された前記予備品識別情報又は前記容器識別情報に対応する前記タグを探索し、当該格納エリア内において当該タグが配される位置を特定して提示する詳細位置提示部を更に備える。
【０００９】
また、本発明の一態様によれば、上述の詳細位置提示部は、指定された前記予備品識別情報又は前記容器識別情報に対応する前記タグの位置を、前記格納エリア内が撮影された画像情報に対する画像認識処理に基づいて探索する。
【００１０】
また、本発明の一態様によれば、上述の詳細位置提示部は、指定された前記予備品識別情報又は前記容器識別情報に対応する前記タグの位置を、当該タグとの無線通信処理を通じて探索する。
【００１１】
また、本発明の一態様によれば、上述の船舶の予備品管理システムは、前記船舶において前記格納エリア別に付されたタグから格納エリア識別情報を読み取るとともに、当該格納エリアに配置された前記容器に付された前記タグから前記容器識別情報を読み取って、読み取った前記格納エリア識別情報と前記容器識別情報とを対応付けて登録する格納エリア登録処理部を更に備える。
【００１２】
また、本発明の一態様によれば、上述の船舶の予備品管理システムは、前記船舶内で使用しようとする前記予備品に付された前記タグを読み取って、前記船舶における前記予備品の搭載数を更新する搭載数更新部を更に備える。
【００１３】
また、本発明の一態様は、船舶の予備品管理システムのコンピュータを、船舶に搭載すべき予備品別に付されたタグから予備品識別情報を読み取って、当該予備品が収納されるべき容器を指定する容器指定手段、前記容器別に付されたタグから容器識別情報を読み取って、前記船舶において当該容器が配置されるべき格納エリアを指定する格納エリア指定手段、前記予備品識別情報又は前記容器識別情報の指定を受け付けて、当該予備品識別情報に示される前記予備品又は当該容器識別情報に示される前記容器が、前記船舶において保管されている格納エリアを提示する格納位置提示手段、として機能させるプログラムである。
【００１４】
また、本発明の一態様は、船舶に搭載すべき予備品が収納された容器を配置可能な収納用部材が、前記船舶の機関室区画内における構造体と一体に形成されてなる予備品収納構造であって、前記収納用部材又は前記構造体の少なくともいずれか一方に、前記機関室区画内における場所を識別するための情報を有するタグが付されている船舶の予備品収納構造である。
【発明の効果】
【００１５】
上述の船舶の予備品管理システム、プログラム及び船舶の予備品収納構造によれば、多数の予備品の船舶への搭載を精度よく行うことができ、更に、航行中の船舶内における予備品の利用の効率化を図ることができる。
【図面の簡単な説明】
【００１６】
【図１】第１の実施形態に係る予備品管理装置の機能の概要を説明する図である。
【図２】第１の実施形態に係る予備品管理装置の機能構成を示す図である。
【図３】第１の実施形態に係る予備品管理テーブルを説明する図である。
【図４】第１の実施形態に係る容器指定部の機能を説明する図である。
【図５】第１の実施形態に係る格納エリア指定部の機能を説明する第１の図である。
【図６】第１の実施形態に係る格納エリア指定部の機能を説明する第２の図である。
【図７】第１の実施形態に係る格納エリア提示部の機能を説明するための第１の図である。
【図８】第１の実施形態に係る格納エリア提示部の機能を説明するための第２の図である。
【図９】第１の実施形態に係る詳細位置提示部の機能を説明する図である。
【図１０】第１の実施形態に係る搭載数更新部の機能を説明する図である。
【図１１】第１の実施形態に係る格納エリア登録処理部の機能を説明する図である。
【図１２】第１の実施形態に係るリスト生成部の機能を説明する図である。
【図１３】第２の実施形態に係る予備品管理装置の機能構成を示す図である。
【発明を実施するための形態】
【００１７】
＜第１の実施形態＞
以下、第１の実施形態に係る船舶の予備品管理システムについて、図１〜図１２を参照ながら説明する。
【００１８】
（予備品管理装置の機能の概要）
図１は、第１の実施形態に係る予備品管理装置の機能の概要を説明する図である。
図１において、船舶建造所は、建造中の船舶である建造船Ｘ２と、当該建造船Ｘ２に搭載すべき多数の予備品が一時的に保管された倉庫Ｘ１と、を有している。ここで、第１の実施形態に係る予備品管理装置（船舶の予備品管理システム）は、建造船Ｘ２に対し、倉庫Ｘ１に保管された予備品を搭載させる搭載作業の管理を行う。
船舶建造所の作業者は、建造船Ｘ２の建造工程において、建造船Ｘ２に搭載すべき全ての予備品を、建造船Ｘ２内の予め規定された場所に、予め規定された数量だけ搭載する作業を行う。なお、船舶においてはスペースや積載量等が限られているため、船舶建造所は、建造船Ｘ２の建造段階で、各予備品の搭載数量、サイズ、仕様の態様等を考慮しながら、建造船Ｘ２内における保管に適した場所を予め規定しておく。
船舶建造所は、建造が完了した船舶（全ての予備品を搭載させた後の建造船Ｘ２）を、船舶の発注者等（客先）に納品する。
【００１９】
建造完了後の船舶の納品を受けた発注者等は、当該納品された船舶を用いて航行を行う。発注者等による航行中の船舶（以下、航行船Ｙと記載する。）は、建造の段階で予め搭載された予備品を利用（消費）しつつ、予定された期間に渡る航行を行う。
第１の実施形態に係る予備品管理装置は、実際の航行中にある航行船Ｙにおいて、当該航行船Ｙに搭載された予備品の利用の管理を行う。
【００２０】
（予備品管理装置の機能構成）
図２は、第１の実施形態に係る予備品管理装置の機能構成を示す図である。
図２に示すように、第１の実施形態に係る予備品管理装置１は、ＣＰＵ（Central Processing Unit）１０と、操作部１１と、表示部１２と、撮影部１３と、記録媒体１４と、を備えている。
ＣＰＵ１０は、予備品管理装置１全体の動作を司る演算装置である。ＣＰＵ１０は、所定のメモリに読み込まれた専用のプログラムに従って動作することで、後述の各種機能を発揮する。
操作部１１は、例えば、キーボード、マウス、タッチパネル等であって、予備品利用者（又は予備品の搭載作業者）による入力操作を受け付ける入力インターフェイスである。
表示部１２は、例えば、液晶ディスプレイ、有機ＥＬディスプレイ等であって、各種情報を画像として表示する。
撮影部１３は、具体的には、予備品管理装置１に内蔵された小型カメラ等である。撮影部１３によって取り込まれた画像情報は、表示部１２等に表示される。
記録媒体１４は、メモリ、ＨＤＤ（Hard Disk Drive）等の汎用の記録デバイスである。記録媒体１４には、予め、船舶に搭載すべき予備品を識別するための予備品識別情報、当該予備品が収納されるべき容器を識別するための容器識別情報、船舶において当該容器が配置されるべき格納エリアを識別するための格納エリア識別情報等が各々対応付けられた情報群（予備品管理テーブルＤ、後述）が記録されている。
【００２１】
なお、第１の実施形態に係る予備品管理装置１は、作業者等が容易に持ち運び可能な、いわゆるハンディタイプのコンピュータであるものとする。具体的には、予備品管理装置１は、スマートフォンやタブレット型ＰＣ等であってよい。
【００２２】
また、ＣＰＵ１０は、予備品管理用に作成されたアプリケーション（プログラム）を実行することで、容器指定部１００、格納エリア指定部１０１、格納エリア提示部１０２、詳細位置提示部１０３、搭載数更新部１０４、格納エリア登録処理部１０５及びリスト生成部１０６としての機能を発揮する。
容器指定部１００は、建造中の船舶（建造船Ｘ２）に搭載すべき予備品（予備品袋２ａ（後述））別に付されたタグ（予備品タグＴ１（後述））から予備品識別情報を読み取って、予備品を建造船Ｘ２に搭載しようとする作業者に対し、当該予備品が収納されるべき容器（引き出し、収納箱）を指定する。
格納エリア指定部１０１は、容器別に付されたタグ（容器タグＴ２（後述））から容器識別情報を読み取って、予備品を建造船Ｘ２に搭載しようとする作業者に対し、建造船Ｘ２において当該容器が配置されるべき格納エリアを指定する。
格納エリア提示部１０２は、予備品識別情報等の指定を受け付けて、当該予備品識別情報等に対応する予備品が、航行中の船舶（航行船Ｙ）において保管されている格納エリアを提示する。
詳細位置提示部１０３は、航行船Ｙにおける格納エリア内から、指定された予備品識別情報又は容器識別情報に対応するタグ（予備品タグＴ１又は容器タグＴ２）を探索し、当該格納エリア内において当該タグが配される位置を特定して提示する。
搭載数更新部１０４は、航行船Ｙ内で使用しようとする予備品に付されたタグ（予備品タグＴ１）を読み取って、当該航行船Ｙにおける予備品の搭載数を更新する。
格納エリア登録処理部１０５は、船舶（建造船Ｘ２、航行船Ｙ）において格納エリア別に付されたタグ（エリアタグＴ３）から格納エリア識別情報を読み取るとともに、当該格納エリアに配置された容器に付された容器タグＴ３から容器識別情報を読み取って、読み取った格納エリア識別情報と容器識別情報とを対応付けて登録する。
リスト生成部１０６は、船舶に搭載されている数量が、本来搭載すべき搭載必要数を下回っている予備品の種類等を示す一覧（消耗品リストＬ（後述））を作成する。
【００２３】
以下、上述の各機能構成について、図面を参照しながら詳細に説明する。
【００２４】
（予備品管理テーブルの態様）
図３は、第１の実施形態に係る予備品管理テーブルを説明する図である。
図３に示すように、予備品管理テーブルＤには、「機器名」と「機器識別情報」とが記録されている。「機器名」とは、建造船Ｘ２（図１）が搭載すべき予備品が用いられる機器の名称（例えば、“循環ポンプ”、“熱交換器”等）である。「機器識別情報」とは、「機器名」に示される機器別に固有に割り振られた識別子である。
また、予備品管理テーブルＤには、更に「予備品名」と「予備品識別情報」とが記録されている。「予備品名」とは、該当する予備品の名称（例えば、“Ｏリング”、“パッキン”等）である。「予備品識別情報」とは、「予備品名」に示される予備品別に固有に割り振られた識別子である。
また、予備品管理テーブルＤには、「容器識別情報」が記録されている。「容器識別情報」とは、対応する予備品が収納されるべき（収納されている）容器別に固有に割り振られた識別子である。ここで、容器とは、上記各種予備品が収納可能な引き出しや収納箱等のことを指す。
また、予備品管理テーブルＤには、「格納エリア識別情報」が記録されている。「格納エリア識別情報」とは、対応する容器が建造船Ｘ２の船内において配置されるべき（配置されている）場所（格納エリア）別に固有に割り振られた識別子である。「格納エリア識別情報」は、「区画識別情報」と「詳細エリア識別情報」との組み合わせで構成される。「区画識別情報」とは、船舶（建造船Ｘ２、建造完了船Ｙ）の船体を大きく区分する区画別に付される識別子であって、具体的には“船首区画”、“機関室区画”等と付される。「区画識別情報」とは、各区画識別情報に示される区画を更に細分化（例えば、一の区画を更に上下、左右、高さ方向にそれぞれ３等分ずつ区分け）した詳細エリア別に付される識別子であって、具体的には“左舷下段”、“中央上段”等と付される。
また、予備品管理テーブルＤには、「搭載数」と「搭載必要数」とが記録されている。「搭載数」とは、船舶に実際に搭載されている数を示している。「搭載必要数」とは、規定により、航行中の船舶に搭載しておくべき数を示している。
予備品管理テーブルＤは、上述の事項の各々を対応付けて記録している。
【００２５】
なお、他の実施形態においては、上述の予備品管理テーブルＤは上述の態様に限定されず、図３に示した事項の一部が記録されていない態様であってもよいし、図３に示した事項以外の事項が更に記録されている態様であってもよい。
【００２６】
（容器指定部の機能）
図４は、第１の実施形態に係る容器指定部の機能を説明する図である。
図４は、船舶建造所の作業者が、倉庫Ｘ１内において、予備品管理装置１を用いながら建造船Ｘ２（図１）に搭載すべき予備品２を容器３に収納する作業の例を示している。
ここで、建造船Ｘ２の建造の工程中において、倉庫Ｘ１には、当該建造船Ｘ２に搭載すべき多数の装置や機器等が保管される（これらの装置、機器は、対応する各種装置機器メーカーから納入されたものである）。そして、作業者は、納入された装置、機器に付属する多数の予備品（予備品２）を、建造船Ｘ２への搭載に要する数量ずつ、同一の種類別にまとめて一時保管する。例えば、予備品２は、同一の種類別に袋（予備品袋２ａ）に入れられて保管される。
【００２７】
図４に示すように、同一の種類別にまとめられた予備品２を有する予備品袋２ａには、それぞれ、固有の予備品識別情報が記録された予備品タグＴ１が付される。ここで、予備品タグＴ１、及び、後述する容器タグＴ２、エリアタグＴ３は、いずれも、付された識別対象物（本実施形態においては予備品２、容器３、建造船Ｘ２内の各格納エリア）を個別識別可能な情報媒体である。本実施形態において、上記タグは、例えば、バーコードや二次元コード（色彩との組み合わせでコード化されたものを含む）等に代表されるような、光学的処理（画像認識処理）で読み取り可能な情報記録媒体であるものとする。
【００２８】
倉庫Ｘ１において、作業者は、容器指定部１００の機能を起動させた状態で、各予備品袋２ａに付された予備品タグＴ１から予備品識別情報を読み取る。容器指定部１００は、撮影部１３を通じて予備品タグＴ１に対する画像認識処理を行い、当該予備品タグＴ１に予め記録された予備品識別情報を取得する。容器指定部１００は、予備品管理テーブルＤを参照して、読み取った予備品識別情報に対応する容器識別情報を特定する。そして、容器指定部１００は、特定した容器識別情報に示される容器３（引き出し３Ａ、収納箱３Ｂ）を、読み取った予備品タグＴ１が付された予備品袋２ａを収納すべき容器３として、表示部１２に表示して指定する。
例えば、容器指定部１００は、予備品タグＴ１を読み取ると、表示部１２に“引き出しＮｏ１に収納”等と表示して、当該予備品タグＴ１が付された予備品袋２ａを収納すべき容器３“引き出しＮｏ１”を指定する。作業者は、予備品タグＴ１を読み取った予備品袋２ａを、指定された引き出し３Ａ、収納箱３Ｂに収納する。
このようにすることで、作業者は、各予備品２（予備品袋２ａ）を収納すべき容器３を迅速かつ正確に把握することができ、予備品２の搭載作業の効率化を図ることができる。
【００２９】
なお、容器３（引き出し３Ａ、収納箱３Ｂ）には、それぞれ、固有の容器識別情報が記録された容器タグＴ２が付される。容器指定部１００は、この容器タグＴ２に記録される容器識別情報を読み取った場合には、表示部１２を通じて、当該容器タグＴ２が付された容器３の名称（例えば、“引き出しＮｏ１”、“収納箱Ｎｏ３”等）を表示してもよい。
この表示を確認することで、作業者は、各予備品２を収納すべき容器３が誤っていないか否かをより確実に把握することができる。
【００３０】
（格納エリア指定部の機能）
図５は、第１の実施形態に係る格納エリア指定部の機能を説明する第１の図である。
図５は、船舶建造所の作業者が、予備品管理装置１を用いながら倉庫Ｘ１内に保管される容器３（予備品２が収納されたもの）を建造船Ｘ２に搭載（運搬）する作業の例を示している。
図５に示すように、建造船Ｘ２は、複数の区画を有してなる。建造船Ｘ２における各区画は、例えば、機関室区画Ｘ２０、船首区画Ｘ２１、荷艙区画Ｘ２２、ボースンストア区画Ｘ２３、客室や操舵室等を含む上部構造区画Ｘ２４、船尾区画Ｘ２５等である。
【００３１】
倉庫Ｘ１において、作業者は、格納エリア指定部１０１の「区画指定機能」を起動させた状態で、各容器３に付された容器タグＴ２から容器識別情報を読み取る。格納エリア指定部１０１は、撮影部１３を通じて容器タグＴ２に対する画像認識処理を行い、当該容器タグＴ２に予め記録された容器識別情報を取得する。容器指定部１００は、予備品管理テーブルＤを参照して、読み取った容器識別情報に対応する格納エリア識別情報（区画識別情報）を特定する。そして、格納エリア指定部１０１は、特定した区画識別情報に示される建造船Ｘ２の区画を、読み取った容器タグＴ２が付された容器３を運搬すべき区画として、表示部１２に表示して指定する。
例えば、格納エリア指定部１０１は、容器タグＴ２を読み取ると、表示部１２に“機関室区画に運搬”等と表示して、当該容器タグＴ２が付された容器３を運搬すべき建造船Ｘ２の区画“機関室区画”を指定する。
作業者は、容器タグＴ２を読み取った容器３を、当該指定された区画を運搬先とするカーゴ等に乗せる作業を行う。そして、各カーゴ等が建造船Ｘ２内の規定された各区画に運搬されることで、各容器３は、建造船Ｘ２内の所望する区画に運搬される。
これにより、作業者は、各容器３を運搬すべき建造船Ｘ２の区画を迅速かつ正確に把握することができ、予備品２の搭載作業の効率化を図ることができる。
【００３２】
図６は、第１の実施形態に係る格納エリア指定部の機能を説明する第２の図である。
図６は、船舶建造所の作業者が、予備品管理装置１を用いながら建造船Ｘ２内に運搬された容器３（予備品２が収納されたもの）を建造船Ｘ２の区画内における所定の場所に配置する作業の例を示している。
図６に示すように、建造船Ｘ２の一区画である機関室区画Ｘ２０には、当該建造船Ｘ２の構造体をなすフレームＦ１、Ｆ２、建造船Ｘ２に搭載すべき予備品２（図４）が収納された容器３を配置可能な複数の収納用部材４が設けられている。
なお、機関室区画Ｘ２０とは、主機や発電機等、船舶の推進装置が搭載されている区画である。
【００３３】
収納用部材４は、具体的には、引き出し３Ａを嵌め合わせて引き出し棚として機能する外枠４Ａ、複数の高さに設けられ収納箱３Ｂ等を配置可能な棚板４Ｂである。これらの収納用部材４は、予め機関室区画Ｘ２０に備え付けられている。
なお、建造船Ｘ２には、機関室区画Ｘ２０以外の区画（船首区画Ｘ２１等）にも、同様に、複数の収納用部材４が備え付けられている。
【００３４】
図６に示すように、建造船Ｘ２の各区画（機関室区画Ｘ２０等）内の各所（例えば、フレームＦ１、Ｆ２、収納用部材４等）には、区画識別情報及び詳細エリア識別情報（“船首区画、左舷下段”、“機関室区画、中央上段”等）が予め記録されたエリアタグＴ３が付されている。各エリアタグＴ３の詳細エリア識別情報は、当該エリアタグＴ３が付された場所に対応している。
【００３５】
建造船Ｘ２内（機関室区画Ｘ２０内）において、作業者は、格納エリア指定部１０１の「詳細エリア指定機能」を起動させた状態で、各容器３に付された容器タグＴ２から容器識別情報を読み取る。格納エリア指定部１０１は、撮影部１３を通じて容器タグＴ２に対する画像認識処理を行い、当該容器タグＴ２に予め記録された容器識別情報を取得する。容器指定部１００は、予備品管理テーブルＤを参照して、読み取った容器識別情報に対応する格納エリア識別情報（区画識別情報及び詳細エリア識別情報）を特定する。そして、格納エリア指定部１０１は、特定した格納エリア識別情報に示される詳細エリアを、読み取った容器タグＴ２が付された容器３を配置すべき場所（詳細エリア）として、表示部１２に表示して指定する。
例えば、格納エリア指定部１０１は、容器タグＴ２を読み取ると、表示部１２に“機関室区画内、左舷下段に配置”等と表示して、当該容器タグＴ２が付された容器３を配置すべき機関室区画Ｘ２０の詳細エリア“左舷下段”を指定する。作業者は、容器タグＴ２を読み取った容器３（引き出し３Ａ、収納箱３Ｂ）を、当該指定された詳細エリアに該当する収納用部材４（外枠４Ａ、棚板４Ｂ）に配置する。
このようにすることで、作業者は、各容器３を配置すべき詳細エリア（収納用部材４）を迅速かつ正確に把握することができ、予備品２の搭載作業の効率化を図ることができる。
【００３６】
なお、格納エリア指定部１０１は、エリアタグＴ３に記録される詳細エリア識別情報を読み取った場合には、表示部１２を通じて、当該エリアタグＴ３が付された場所（格納エリア）の名称（例えば、“機関室区画、左舷下段”、“機関室区画、中央上段”等）を表示してもよい。
この表示を確認することで、作業者は、各容器３を配置すべき場所（格納エリア）が誤っていないか否かをより確実に把握することができる。
【００３７】
収納用部材４は、建造船Ｘ２の構造体と一体に形成されることで、予備品収納構造をなしてもよい。例えば、図６に示すように、棚板４Ｂは、フレームＦ１、Ｆ２等と一体に形成され得る。
そして、エリアタグＴ３は、収納用部材４又は構造体（フレームＦ１、Ｆ２）の少なくとも何れか一方に付されるものとする。
また、収納用部材４は、上述の例（外枠４Ａ、棚板４Ｂ）には限定されない。例えば、容器３を載置可能な棚や引き出し以外に、“袋”である容器３の吊下げ用のフック、容器３の移動を抑止するためのストッパーが設けられた床であってもよく、要するに、航行中において、容器３を、搭乗者が意図した位置に止めておくための部材である。
【００３８】
（格納エリア提示部の機能）
図７は、第１の実施形態に係る格納エリア提示部の機能を説明するための第１の図である。
図７は、予備品管理装置１において格納エリア提示部１０２の機能が起動された際に、表示部１２に表示される画面（予備品検索用画面Ｇ０）の例を示している。
格納エリア提示部１０２は、建造完了後の航行中の船舶である航行船Ｙにおいて利用される。具体的には、格納エリア提示部１０２は、航行船Ｙの搭乗者が、当該航行中に必要となった予備品２を調達する際に利用される。具体的には、航行船Ｙに搭載されたある装置の運用につき特定の予備品２が必要となった場合、装置担当者は、予備品管理装置１を用いて、目的とする予備品２が保管されている場所を把握する。
【００３９】
具体的には、装置担当者は、操作部１１（図２）を操作して、予備品検索用画面Ｇ０の検索予備品入力フォームＧ０１に、目的とする予備品２の予備品識別情報に応じた文字列を入力する。格納エリア提示部１０２は、「検索」ボタンを押す操作を受け付けると、予備品管理テーブルＤ（図２）を参照して、入力された予備品識別情報（文字列）に示される予備品２に関する各種情報を予備品検索用画面Ｇ０に表示する（検索候補一覧Ｇ０２）。図７に示すように、検索候補一覧Ｇ０２には、入力された予備品識別情報に示される予備品２の「予備品名」、「容器識別情報」、「格納エリア識別情報」（「区画識別情報」、「詳細エリア識別情報」）及び「搭載数」が含まれる。
【００４０】
このように、格納エリア提示部１０２は、予備品識別情報の指定を受け付けて、当該予備品識別情報に対応する予備品２が、航行船Ｙにおいて保管されている格納エリアを提示する。
このようにすることで、装置担当者は、表示された検索候補一覧Ｇ０２を確認することで、目的とする予備品２が保管されている場所（格納エリア）、及び、当該予備品２の在庫が存在するか否かを把握することができる。
【００４１】
なお、格納エリア提示部１０２は、検索予備品入力フォームＧ０１に入力された文字列に対し、部分一致検索等により、当てはまる複数の検索候補を表示するようにしてもよい。また、格納エリア提示部１０２は、「予備品識別情報」の入力で検索を行う他、「予備品名」、「容器名」、「容器識別情報」、又は、目的とする予備品２が用いられる機器の「機器名」、「機器識別番号」等の入力に基づいて検索を行ってもよい。
【００４２】
図８は、第１の実施形態に係る格納エリア提示部の機能を説明するための第２の図である。
図８は、予備品検索用画面Ｇ０における（地図の）「表示」ボタンを押す操作を受け付けた際に、表示部１２に表示される画面（地図画面Ｇ１）の例を示している。
格納エリア提示部１０２は、地図画面Ｇ１を表示して、装置担当者が必要とする予備品が保管されている場所を航行船Ｙの地図上に表示する。具体的には、格納エリア提示部１０２は、予備品管理テーブルＤを参照して、目的とする予備品２（予備品識別情報）に対応する区画識別情報を特定するとともに、当該区画識別情報に対応する地図画像Ｇ１１（例えば、機関室区画Ｘ２０の地図画像Ｇ１１）を表示する。ここで、図８に示すように、地図画像Ｇ１１には、航行船Ｙの区画（機関室区画Ｘ２０）を更に細かく区分けされてなる各詳細エリアが図示されている。
格納エリア提示部１０２は、予備品管理テーブルＤを参照して、目的とする予備品２（予備品識別情報）に対応する詳細エリア識別情報を特定するとともに、地図画像Ｇ１１のうち、上記特定した詳細エリア識別情報に対応する部分に、エリア指定カーソルＧ１２を表示する。
このようにすることで、装置担当者は、航行船Ｙの地図を通じて、より直感的に、目的とする予備品２が保管されている場所（格納エリア）を把握することができる。
【００４３】
（詳細位置提示部の機能）
図９は、第１の実施形態に係る詳細位置提示部の機能を説明する図である。
図９は、予備品管理装置１において詳細位置提示部１０３の機能が起動された際に、表示部１２に表示される画面（探索画面Ｇ２）の例を示している。
詳細位置提示部１０３は、予備品検索用画面Ｇ０（図７）で提示された格納エリアに到着した装置担当者が、当該格納エリア内から目的とする予備品２を探索する（探し出す）作業を支援する。
【００４４】
探索画面Ｇ２における対象表示画像Ｇ２１には、装置担当者が探索の対象とする予備品２に関する各種情報が示される。ここで、装置担当者は、格納エリア提示部１０２の場合と同様に、別途用意された入力フォームに予備品識別情報等を入力することで、探索の対象とする予備品２を指定する。
探索画面Ｇ２における撮影画像Ｇ２２には、予備品管理装置１の撮影部１３によって撮影された船内（格納エリア内）の画像が表示される。ここで、装置担当者は、予備品管理装置１の筐体を動かしながら撮影部１３の撮影範囲を適宜調整することで、撮影画像Ｇ２２上に、所望する範囲を映し出すことができる。
【００４５】
詳細位置提示部１０３は、撮影部１３を通じて取得された撮影画像Ｇ２２に対し、逐次、所定の画像認識処理を行う。ここで、図９に示すように、撮影画像Ｇ２２には、複数の容器３（引き出し３Ａ、収納箱３Ｂ等（図６））及び、各容器３の表面に付された容器タグＴ２（図６）が映し出されている。詳細位置提示部１０３は、取得された撮影画像Ｇ２２に対する画像認識処理を実行し、当該撮影画像Ｇ２２のうち、指定された予備品２に対応するタグ（当該予備品２を収納する容器３に付された容器タグＴ３）が撮影されている画像上の位置を特定する。更に、詳細位置提示部１０３は、当該特定した位置に所定のタグ検出カーソルＧ２３を表示する。装置担当者は、探索画面Ｇ２上においてタグ検出カーソルＧ２３が表示された部分を確認することで、所望する容器３（目的とする予備品２が収納された容器３）が保管されている位置を把握する。
【００４６】
このように、詳細位置提示部１０３は、指定された予備品識別情報に対応するタグの位置を、格納エリア内が撮影された画像情報（撮影画像Ｇ２２）に対する画像認識処理に基づいて探索する。
これにより、多数の容器３（引き出し３Ａ、収納箱３Ｂ）等が配置されていた場合であっても、装置担当者は、探索画面Ｇ２を視認しながら撮影範囲を動かすことで、格当該納エリアの中から目的とする予備品２を容易に探し出すことができる。
【００４７】
（搭載数更新部の機能）
図１０は、第１の実施形態に係る搭載数更新部の機能を説明する図である。
図１０は、予備品管理装置１において搭載数更新部１０４の機能が起動された際に、表示部１２に表示される画面（予備品使用画面Ｇ３）の例を示している。
搭載数更新部１０４は、予備品２の使用に応じて、航行船Ｙに搭載される予備品２の数（在庫数）を更新し、予備品管理テーブルＤ（図３）に反映させる処理を行う。
【００４８】
具体的には、装置担当者は、詳細位置提示部１０３を用いて探し出した容器３（引き出し３Ａ、収納箱３Ｂ）から目的とする予備品２を必要な数だけ取り出した後、撮影部１３を通じて、当該予備品２（予備品袋２ａ（図４））に付された予備品タグＴ１を読み取る。これにより、予備品使用画面Ｇ３の使用予備品入力フォームＧ３１に、使用しようとする予備品２の予備品識別情報が入力される。なお、装置担当者は、操作部１１（図２）を操作して、直接、使用予備品入力フォームＧ３１に予備品識別情報を入力してもよい。
【００４９】
次に、装置担当者は、操作部１１を操作して、使用数入力フォームＧ３２に使用する数量を入力する。
その後、「変更」ボタンを押す操作が入力されると、搭載数更新部１０４は、予備品管理テーブルＤ（図２）において、使用予備品入力フォームＧ３１に入力された予備品識別情報に対応する「搭載数」の数を、使用数入力フォームＧ３２に入力された数だけ減算した値に更新する。
【００５０】
このように、搭載数更新部１０４は、航行船Ｙ内で使用しようとする予備品２（予備品袋２ａ）に付されたタグを読み取って、航行船Ｙにおける予備品２の搭載数を更新する。
これにより、予備品管理テーブルＤに記録された情報が、航行船Ｙにおける実際の在庫数（搭載数）と整合するように適宜更新される。したがって、各予備品２が航行船Ｙ内にいくつ存在するか（充足しているか、未充足か）を正しく判断することができる。
【００５１】
なお、搭載数更新部１０４の機能は、予備品２の使用の際のみに限定されるものではなく、例えば、新たな予備品２が充足された場合（搭載数が増えた場合）等にも用いられてよい。
【００５２】
（格納エリア登録処理部の機能）
図１１は、第１の実施形態に係る格納エリア登録処理部の機能を説明する図である。
図１１は、予備品管理装置１において格納エリア登録処理部１０５の機能が起動された際に、表示部１２に表示される画面（格納エリア変更画面Ｇ４）の例を示している。
格納エリア登録処理部１０５は、航行船Ｙの搭乗者によって、予備品２を収納する容器３が航行船Ｙ内の別の場所（格納エリア）に移動された際に、容器３と、当該容器３が配置される新たな格納エリアと、を対応付けて、予備品管理テーブルＤ（図３）に反映させる処理を行う。
【００５３】
具体的には、搭乗者は、容器３（引き出し３Ａ、収納箱３Ｂ）を新たな格納エリアに移動させた後、撮影部１３を通じて、当該容器３に付された容器タグＴ２（図４）を読み取る。これにより、格納エリア変更画面Ｇ４の変更対象入力フォームＧ４１に、配置場所を変更しようとする容器３の容器識別情報が入力される。なお、搭乗者は、操作部１１（図２）を操作して、変更対象入力フォームＧ４１に、直接、容器識別情報を入力してもよい。
【００５４】
次いで、搭乗者は、撮影部１３を通じて、容器３を移動させた先の新たな格納エリアに付されたエリアタグＴ３（図６）を読み取る。これにより、格納エリア変更画面Ｇ４の格納エリア入力フォームＧ４２に、変更しようとする配置場所（格納エリア）を示す格納エリア識別情報が入力される。なお、装置担当者は、操作部１１（図２）を操作して、格納エリア入力フォームＧ４２に、直接、容器識別情報を入力（又は、プルダウンメニューから選択等）してもよい。
【００５５】
その後、「変更」ボタンを押す操作が入力されると、格納エリア登録処理部１０５は、予備品管理テーブルＤ（図２）において、変更対象入力フォームＧ４１に入力された容器識別情報に対応する格納エリア識別情報を、格納エリア入力フォームＧ４２に入力された内容に更新する。
【００５６】
このように、格納エリア登録処理部１０５は、航行船Ｙ内において配置場所を変更しようとする容器３に付された容器タグＴ２を読み取るとともに、格納エリア別に付されたエリアタグＴ３から格納エリア識別情報を読み取って、当該読み取った格納エリア識別情報と容器識別情報とを対応付けて登録する。
これにより、予備品管理テーブルＤに記録された情報が、各容器３の航行船Ｙにおける実際の配置場所と整合するように適宜更新される。したがって、各容器３が航行船Ｙ内のいずれの場所に移動された場合であっても、当該容器３が何処に存在するかを正しく判断することができる。
【００５７】
（リスト生成部の機能）
図１２は、第１の実施形態に係るリスト生成部の機能を説明する図である。
第１の実施形態に係るリスト生成部１０６は、航行船Ｙに搭載される予備品の、現段階における搭載数（予備品管理テーブルＤの「搭載数」（図３））を参照し、当該搭載数が、搭載必要数を下回っている予備品をリストアップする。
具体的には、リスト生成部１０６は、図１２に示すような消耗品リストＬを生成する。消耗品リストＬは、図１２に示すように、「機器名」、「機器識別情報」、「予備品名」、「予備品識別情報」、「搭載数」、「搭載必要数」及び「発注数」が記録される。
ここで、「発注数」は、対応する予備品が「搭載必要数」を満たすために発注すべき数量（「搭載必要数」−「搭載数」）である。
リスト生成部１０６は、以上のように、現段階において搭載数が未充足となっている予備品の一覧（消耗品リストＬ）を生成する。
このようにすることで、航行船Ｙにおける予備品の管理者は、未充足の予備品の種類及び発注すべき数量を簡便かつ正確に把握することができる。
【００５８】
なお、リスト生成部１０６は、図１２に示すような消耗品リストＬを、例えば、機器識別情報に示される機器ごとに複数作成する態様であってもよい。このようにすることで、予備品管理者は、各機器に対応する複数の装置機器メーカーに、必要な予備品を通知（発注）する作業を簡素化することができる。
【００５９】
（作用効果）
以上、第１の実施形態に係る予備品管理装置１は、建造船Ｘ２に搭載すべき予備品２別に付された予備品タグＴ１から予備品識別情報を読み取って、当該予備品２が収納されるべき容器３を指定する容器指定部１００を備える。また、容器３別に付された容器タグＴ２から容器識別情報を読み取って、建造船Ｘ２において当該容器３が配置されるべき格納エリアを指定する格納エリア指定部１０１を備える。そして、予備品識別情報又は容器識別情報の指定を受け付けて、当該予備品識別情報又は当該容器識別情報に対応する予備品２が、航行船Ｙにおいて保管されている格納エリアを提示する格納エリア提示部１０２を備える。
船舶の建造所は、予備品管理装置１を用いることで、船舶建造の段階において、船舶へ搭載すべき予備品を、規定された場所に正しく効率的に配置することができる。また、船舶の搭乗者は、予備品管理装置１を用いることで、建造の完了後（当該船舶の航行中）において、各予備品が船舶内のどの場所に保管されているかを正しく把握することができ、船舶内から予備品を探し出す作業の効率化を図ることができる。
このように、船舶の建造所が予備品の搭載管理のために利用した各種タグ（予備品タグＴ１等）及び情報（予備品管理テーブルＤ２）を、そのまま、当該船舶の航行中における予備品の利用管理に用いることができる。したがって、船舶の建造所は、建造工程における予備品の搭載管理を高精度化できるばかりでなく、当該搭載管理に用いた資源を利用して、その船舶で航行を行う船舶所持者に対し、当該予備品の利用管理サービスを提供することができる。
【００６０】
また、本実施形態に係る船舶は、その内部（機関室区画Ｘ２０）に、収納部材４及び構造体（フレームＦ１、Ｆ２等）が一体に形成されてなる予備品収納構造を有していることを特徴とする。
ここで、通常、船舶の機関室（機関室区画Ｘ２０）には、保守、点検を必要とする装置が多数、搭載、配設されている。その一方で、機関室の床面積は限られており、また、構造体（フレームＦ１、Ｆ２等）の隙間等、狭小なエリアは有効に活用されていない。
通常、機関室外板のフレームＦ１、Ｆ２の配列に沿って、甲板又は歩廊が設置されているため、例えば、フレームＦ１、Ｆ２間に収納用部材４を設置しても、搭乗者の往来に支障がなく、収納用部材４へのアクセスも容易である。
【００６１】
また、収納用部材４及び建造船Ｘ２の構造体（フレームＦ１、Ｆ２等）の少なくとも何れか一方には、エリアタグＴ３が付されている。したがって、船舶のブラックアウト時においても、端末装置（予備品管理装置１）を通じて、容易に位置特定を行うことができ、所望する予備品を迅速に入手することができる。
【００６２】
なお、上述の実施形態において、「船舶」とは、種々の商船（旅客船、貨物船）、及び、艦艇、有人潜水艇等を含むものとする。
また、「予備品に付されたタグ」との文言は、予備品そのものに付されたタグのみを意味するものではなく、予備品が種類別に入れられた袋（予備品袋２ａ（図４））に付されたタグの意味も含むものとする。
【００６３】
以上、第１の実施形態に係る予備品管理装置１（船舶の予備品管理システム）について詳細に説明したが、第１の実施形態に係る予備品管理装置１の具体的な態様は、上述のものに限定されることはなく、要旨を逸脱しない範囲内において種々の設計変更等を加えることは可能である。
【００６４】
例えば、他の実施形態に係る予備品管理装置１は、撮影部１３による画像情報の取り込みを支援するための発光部を更に有していてもよい。当該発光部が画像情報の取り込み対象とする範囲に光を照射することにすることで、予備品管理装置１の各機能部は、保管場所が暗い場合であっても精度よくタグを読み取ることができる。
また、他の実施形態に係る予備品管理装置１は、撮影部１３に替えて、光学的手段に基づく専用の情報読取部（例えば、バーコードリーダ等）を備える態様であってもよい。
【００６５】
＜第２の実施形態＞
次に、第２の実施形態に係る船舶の予備品管理システムについて、図１３を参照ながら説明する。
【００６６】
（予備品管理装置の機能構成）
図１３は、第２の実施形態に係る予備品管理装置の機能構成を示す図である。
図１３に示すように、第２の実施形態に係る予備品管理装置１は、第１の実施形態に係る撮影部１３の代わりに無線通信部１５を備えている。
第２の実施形態において、予備品２（予備品袋２ａ）、容器３及び船舶内の各格納エリアに付されるタグ（予備品タグＴ１、容器タグＴ２及びエリアタグＴ３）は、付された識別対象物（本実施形態においては予備品２、容器３、建造船Ｘ２内の各格納エリア）を個別識別可能な情報媒体である。本実施形態において、上記タグは、例えば、ＲＦＩＤ（Radio Frequency IDentifier）等の無線を通じて記録情報を読み取り可能な情報記録媒体（電子媒体）であるものとする。
【００６７】
無線通信部１５は、ＲＦＩＤである各種タグ（予備品タグＴ１等）との間で所定の無線通信を行い、当該タグに記録されている情報（予備品識別情報等）を読み取る。
【００６８】
なお、第２の実施形態に係る詳細位置提示部１０３は、無線通信部１５を介して各種タグの詳細な位置を特定する。具体的には、詳細位置提示部１０３は、無線通信部１５が放射する電磁波の強度（又は方向）を変化させることで、各所に配値されたタグとの通信が可能なエリアを逐次変化させる。そして、目的とする予備品に対応するタグと通信できたエリアを限定することで、格納エリア内の何処に存在するかを探索する。
【００６９】
以上のように予備品管理装置１は、ＲＦＩＤ等のタグと無線通信可能な態様としてもよい。このようにすることで、画像認識処理を用いる場合よりも読み取り処理を簡素化することができる。また、例えば、保管場所が暗い場合であっても、目的とする予備品を容易に探索することができる。
【００７０】
なお、他の実施形態においては、各種タグ（予備品タグＴ１、容器タグＴ２及びエリアタグＴ３）は、光学的処理（画像認識処理）によって読み取り可能な情報記録媒体と、無線通信を通じて読み取り可能な情報記録媒体と、を組み合わせた態様であってもよい。また、この場合、予備品管理装置１は、第１の実施形態に係る撮影部１３と、第２の実施形態に係る無線通信部１５と、の両方を備える態様とする。
このようにすることで、保管されている予備品を探索する場合において、装置担当者は、格納エリアの状況に応じて、無線通信処理に基づく手段と、画像認識処理に基づく手段と、を使い分けることができる。
【００７１】
なお、上述の各実施形態においては、予備品管理装置１（船舶の予備品管理システム）の各種機能を実現するためのプログラムをコンピュータ読み取り可能な記録媒体に記録して、この記録媒体に記録されたプログラムをコンピュータシステムに読み込ませ、実行することにより各種処理を行うものとしている。ここで、上述した予備品管理装置１の各種処理の過程は、プログラムの形式でコンピュータ読み取り可能な記録媒体に記憶されており、このプログラムをコンピュータが読み出して実行することによって上記各種処理が行われる。また、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
また、予備品管理装置１（船舶の予備品管理システム）の各種機能が、ネットワークで接続される複数の装置に渡って具備される態様であってもよい。例えば、船舶の予備品管理システムは、操作部１１、表示部１２、撮影部１３等のみを有するハンディタイプの端末装置と、遠隔地に設置され、上記端末装置と通信ネットワークを経由して接続された処理装置（ＣＰＵ１０の各種機能構成を具備する装置）と、を有する態様であってもよい。
【００７２】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００７３】
１  予備品管理装置（船舶の予備品管理システム）
１０  ＣＰＵ
１００  容器指定部
１０１  格納エリア指定部
１０２  格納エリア提示部
１０３  詳細位置提示部
１０４  搭載数更新部
１０５  格納エリア登録処理部
１０６  リスト生成部
１１  操作部
１２  表示部
１３  撮影部
１４  記録媒体
１５  無線通信部
２  予備品
２ａ  予備品袋
３  容器
３Ａ  引き出し
３Ｂ  収納箱
４  収納用部材
４Ａ  外枠
４Ｂ  棚板
Ｄ  予備品管理テーブル
Ｔ１  予備品タグ
Ｔ２  容器タグ
Ｔ３  エリアタグ
Ｆ１、Ｆ２  フレーム（構造体）
Ｇ０  予備品検索用画面
Ｇ０１  検索予備品入力フォーム
Ｇ０２  検索候補一覧
Ｇ１  地図画面
Ｇ１１  地図画像
Ｇ１２  エリア指定カーソル
Ｇ２  探索画面
Ｇ２１  対象表示画像
Ｇ２２  撮影画像
Ｇ２３  タグ検出カーソル
Ｇ３  予備品使用画面
Ｇ３１  使用予備品入力フォーム
Ｇ３２  使用数入力フォーム
Ｇ４  格納エリア変更画面
Ｇ４１  変更対象入力フォーム
Ｇ４２  格納エリア入力フォーム
Ｘ１  倉庫
Ｘ２  建造船
Ｘ２０  機関室区画
Ｘ２１  船首区画
Ｘ２２  荷艙区画
Ｘ２３  ボースンストア区画
Ｘ２４  上部構造区画
Ｘ２５  船尾区画
Ｙ  建造完了船
Ｌ  消耗品リスト
【図１】
2017024823.tif 000003
【図２】
2017024823.tif 000004
【図３】
2017024823.tif 000005
【図４】
2017024823.tif 000006
【図５】
2017024823.tif 000007
【図６】
2017024823.tif 000008
【図７】
2017024823.tif 000009
【図８】
2017024823.tif 000010
【図９】
2017024823.tif 000011
【図１０】
2017024823.tif 000012
【図１１】
2017024823.tif 000013
【図１２】
2017024823.tif 000014
【図１３】
2017024823.tif 000015